(57)【要約】【課題】骨へ埋入後、すぐに歯列矯正のための固定源として使用可能なインプラントを提供する。【解決手段】骨にねじ込むねじ部２が、先端部側からテーパねじ部２Ａ及び平行ねじ部２Ｂからなる。テーパねじ部２Ａにおける雄ねじの谷の径は、最小径ｄ１が開口孔の径より小さく、最大径ｄ２が開口孔の径よりも大きい。頭部に形成された露出部３にアバットメント４が予め取り付けられている。【選択図】　　　　図１
2004097787.tif 000002
【特許請求の範囲】
【請求項１】
口腔内で顎骨等の骨に埋め込まれるねじ部と、上記ねじ部の頭部に形成されて歯列矯正用のアバットメントその他の矯正具が取り付けられる露出部と、を備えて、上記骨に穿孔した小径の開口孔に対し、上記ねじ部をねじ込むことで骨に埋め込まれる小径のインプラントにおいて、
上記ねじ部は、少なくとも先端部側がテーパねじ部を構成し、且つそのテーパねじ部の雄ねじの谷の径は、先端部で上記開口孔の径よりも小さく且つ頭部側で上記開口孔の径よりも大きいことを特徴とする歯列矯正用のインプラント。
【請求項２】
上記ねじ部は、先端部側のテーパねじ部と、当該テーパねじ部に連続して上記開口孔の径よりも雄ねじの谷の径が大きい円筒状の平行ねじ部とから構成され、かつ上記ねじ部のうち雄ねじの谷の径が開口孔径よりも大きい部分の長さが２ｍｍ以上であることを特徴とする請求項１に記載した歯列矯正用のインプラント。
【請求項３】
口腔内で顎骨等の骨に埋め込まれるねじ部と、上記ねじ部の頭部に形成されて歯列矯正用のアバットメントその他の矯正具が取り付けられる露出部と、を備えて、上記ねじ部をねじ込むことで骨に埋め込まれる小径のインプラントにおいて、
上記ねじ部は、少なくとも先端部側がテーパねじ部を構成し、且つ当該ねじ部の先端部に孔あけ用のドリル刃を形成したことを特徴とする歯列矯正用のインプラント。
【請求項４】
上記ねじ部の長さは、３ｍｍ以上５ｍｍ以下であることを特徴とする請求項１〜請求個３のいずれかに記載した歯列矯正用のインプラント。
【請求項５】
上記露出部には、予めアバットメントが取り付けられていることを特徴とする請求項１〜請求項４のいずれかに記載した歯列矯正用のインプラント。
【発明の詳細な説明】
【０００１】
【発明の属する技術分野】
本発明は、歯列矯正のために、骨に埋め込まれて歯の位置を変位させる際の固定源を提供する小径のインプラントに関するものである。
【０００２】
【従来の技術】
従来、歯列矯正用のインプラントは、図６に示すように、全体が円筒形状のねじ部５０と、そのねじ部５０の頭部に形成された露出部５１と、上記ねじ部５０と露出部５１との間の円筒部５２とから構成される。
上記ねじ部５０は、雄ねじの谷の径が、骨５５に開口する開口孔５４の径と等しく設定されている。なお、ねじ部５０の先端形状は、通常、図３のように断面円弧状となるように丸められている。
【０００３】
ここで、骨に開口する上記開口孔５４は、一般には、径が１ｍｍに設定され、且つ、使用するインプラントのねじ部の長さ相当の深さまで穿孔される。このように開口孔の径が１ｍｍの場合には、一般に使用されているインプラントのねじ部５０の寸法は、雄ねじの谷の径が１ｍｍ、且つ雄ねじの山の径が１．２ｍｍとなっている。なお、歯列矯正用のインプラントは、仮のアンカーであり歯列矯正が完了すれば外される。また、取付け位置などの関係から、ねじ部の最大径が２ｍｍを越えることは無い。
【０００４】
また、上記円筒部５２は、使用の際に、骨５５の上に存在する粘膜等の肉部を貫通する部分である。
また、上記露出部５１には、アバットメントを後で取付け可能な小径部５３を有し、当該小径部５３にアバットメントのフック部を引っ掛けることが可能となっている。
【０００５】
次に、上記小径のインプラントを使用した、歯列矯正のための矯正治具の取付けについて説明する。
まず、歯近傍の骨（通常は顎骨）に対しインプラントのアンカー位置を決定した後、その部分に対し局所麻酔をして円筒形のメスで骨の上にある肉部を切開して開窓して骨表面を露出させたら、小径ドリルで直径１ｍｍの開口孔５４を穿孔する。続いて、手回しのドライバを使用して、上記インプラントのねじ部５０を、上記開口孔５４内にねじ込んで埋入する。この後、上記開窓を再び縫合する。そして、ねじ部５０と骨５５との結合を確保するために３ヶ月間そのまま養生する。
【０００６】
３ヶ月間の養生期間が経過したら、インプラント周囲の肉部を切って上記インプラントの露出部５１を再度露出させた後、その露出部５１にアバットメントのフックを引っ掛けると共に、当該アバットメントの他端部に形成され取付け穴に結束線を連結することで、上記インプラントを牽引の固定源として使用して歯列矯正を行う。なお、アバットメントを使用せずに、直接、矯正具たる結束線を上記露出部５１に取り付けてブラケットを牽引させる場合もある。
【０００７】
【発明が解決しようとする課題】
ねじ部５０の径の寸法は、ねじ込まれる骨への影響を考慮して決定するが、上記従来の歯列矯正用のインプラントのねじ部５０は、全長に亘って円筒状の平行ねじであると共に、雄ねじの谷の径が開口孔５４の径と等しく設定してあることから、固定源として要求されるだけの骨との結合を確保するためには、埋入手術後３ヶ月間程度の養生期間が必要であり、その期間分だけ歯列矯正の開始が遅くなる。
【０００８】
また、インプラントの埋設後すぐに固定源として利用できないため、インプラントの露出部５１に予めアバットメントを装着しておくことができない。このため、養生期間終了の後に、インプラントを骨に埋設した状態で、上記露出部５１に対してアバットメントの取付けを行う必要があるが、上述のように極めて小さな部品であり、しかも口腔内での取付け作業となることから、一般にアバットメントの取付け作業が面倒である。
また、インプラントと骨とが結合した後（養生期間終了後）に、再び肉部を切開する手術が要求される。
本発明は、上記のような点に着目してなされたもので、骨へ埋入後、すぐに歯列矯正のための固定源として使用可能なインプラントを提供することを課題としている。
【０００９】
【課題を解決するための手段】
上記課題を解決するために、本発明のうち請求項１に記載した発明は、口腔内で顎骨等の骨に埋め込まれるねじ部と、上記ねじ部の頭部に形成されて歯列矯正用のアバットメントその他の矯正具が取り付けられる露出部と、を備えて、上記骨に穿孔した小径の開口孔に対し、上記ねじ部をねじ込むことで骨に埋め込まれる小径のインプラントにおいて、
上記ねじ部は、少なくとも先端部側がテーパねじ部を構成し、且つそのテーパねじ部の雄ねじの谷の径は、先端部で上記開口孔の径よりも小さく且つ頭部側で上記開口孔の径よりも大きいことを特徴とするものである。
【００１０】
次に、請求項２に記載した発明は、請求項１に記載した構成に対し、上記ねじ部は、先端部側のテーパねじ部と、当該テーパねじ部に連続して上記開口孔の径よりも雄ねじの谷の径が大きい円筒状の平行ねじ部とから構成され、かつ上記ねじ部のうち雄ねじの谷の径が開口孔径よりも大きい部分の長さが２ｍｍ以上であることを特徴とするものである。
【００１１】
次に、請求項３に記載した発明は、口腔内で顎骨等の骨に埋め込まれるねじ部と、上記ねじ部の頭部に形成されて歯列矯正用のアバットメントその他の矯正具が取り付けられる露出部と、を備えて、上記ねじ部をねじ込むことで骨に埋め込まれる小径のインプラントにおいて、
上記ねじ部は、少なくとも先端部側がテーパねじ部を構成し、且つ当該ねじ部の先端部に孔あけ用のドリル刃を形成したことを特徴とするものである。
【００１２】
次に、請求項４に記載した発明は、請求項１〜請求個３のいずれかに記載した構成に対し、上記ねじ部の長さは、３ｍｍ以上５ｍｍ以下であることを特徴とするものである。
次に、請求項５に記載した発明は、請求項１〜請求項４のいずれかに記載した構成に対し、上記露出部には、予めアバットメントが取り付けられていることを特徴とするものである。
【００１３】
本発明によれば、ねじ部について、少なくとも先端部側をテーパねじとすると共にそのテーパねじ部の先端部側の径を開口孔径よりも小さくすることで、確実に開口孔に案内されながらねじ込まれる。さらに、開口孔径よりも大径の部分が開口孔に食い込むようにねじ込まれることで、埋入直後から骨との接触率（密着率）が大きくなって骨との結合が大きくなる。
【００１４】
このとき、ねじ部の頭部側を平行ねじ部とすることで、開口孔に食い込む部分の長さを効率良く確保することができる。
また、ねじ部の先端部にドリル刃を形成することで、必ずしも下穴としての開口孔を開けたりねじ部の全長分だけ深さまで開口したりすることが必要でなくなり、直接、対象とする骨にねじ込んで固定することが可能となる。
【００１５】
【発明の実施の形態】
次に、本発明に係る第１実施形態について図面を参照しつつ説明する。
図１は、本実施形態に係るインプラントを示す図である。
まず、本実施形態の歯列矯正用のインプラント１の構成について説明すると、図１に示すように、口腔内で骨６に埋入されるねじ部２と該ねじ部２の根元に連続する露出部３（頭部）とから構成される。なお、本実施形態では、インプラント１を埋設するために骨６に穿孔する開口孔５の径を１．０ｍｍとして以下説明する。
【００１６】
上記ねじ部２は、軸方向に沿って、先端部から略中央部分までがテーパねじ部２Ａとなり、略中央部分から根元までが、上記テーパねじ部２Ａに連続する円筒状の平行ねじ部２Ｂとなっている。なお、ねじ部２の先端部２Ｃの形状として断面円弧状の場合を図示しているが、当該先端部２Ｃは尖っていても良い。
上記テーパねじ部２Ａの径は、先端部側が小径となっていて、先端部側の雄ねじの谷の径ｄ１が、当該先端部が骨６に穿孔する開口孔５の径よりも小径の０．８ｍｍとなっていると共に、平行ねじ部２Ｂとの境界位置（頭部側）における雄ねじの谷の径ｄ２が、上記開口孔５の径よりも若干大径の１．２ｍｍとなっている。
【００１７】
また、平行ねじ部２Ｂの雄ねじの谷の径は、上記テーパねじ部２Ａの最大径と等しい１．２ｍｍとなって、つまり、上記開口孔５の径よりも若干大径の１．２ｍｍに設定されている。
なお、ねじ部２の雄ねじの山の径は、上記各雄ねじの谷の径よりも０．２ｍｍだけ大きい値に設定されている。例えば、平行ねじ部の雄ねじの山の径ｄ３は、１．４ｍｍである。
【００１８】
また、上記頭部に設けられた露出部３は、上記ねじ部２の根元に連続する肉貫通部３Ａと、トルク導入部３Ｃと、上記肉貫通部３Ａとトルク導入部３Ｃとの間に形成された小径部３Ｂとから構成されている。そして、その小径部３Ｂに対し、図２のようなアバットメント４の円環部４Ａが、当該小径部３Ｂを中心に回動自在な状態で取り付けられ側方に張り出した状態となっている。なお、上記円環部４Ａの取付けは、例えば、肉貫通部に対し小径部３Ｂをネジ結合構造で連結しておくことで可能である。このとき上記ネジ結合のねじを逆ねじとしておけば、ねじ部２のねじ込みの際に弛む支障はない。
【００１９】
ここで、上記アバットメント４は、図１及び図２に示すように、内径が上記小径部よりも若干大径の円環部４Ａを備えると共に、その円環部４Ａから側方に張り出して結束線などを引っ掛けるフック部４Ｂとを備える。
なお、インプラント１及びアバットメント４の素材は、一般にはチタンが使用される。
次に、上記インプラント１の取付け、及び取付け後の使用などについて説明する。
まず、口腔内に面した骨６（通常は顎骨）に対してインプラント１のアンカー位置を決定した後に、その部分に対し局所麻酔をして円筒形のメスで骨６の上にある肉部を開窓して骨６の表面を露出させたら、小径ドリルで直径１ｍｍの開口孔５を４ｍｍ程度の深さまで穿孔する。
【００２０】
続いて、手回しのドライバの先端部をトルク導入部３Ｃに対し同軸に取り付け、上記インプラント１のねじ部２を上記開口孔５内に同軸にねじ込んで骨６に埋入する。このねじ込みの際に、予め取り付けられている上記アバットメント４を把持してインプラント１を支持するようにしても良い。アバットメント４のフック部４Ｂは、インプラント１の軸から側方にオフセットした位置にあるのでドライバの邪魔にならないことから、ドライバによるねじ込み始めでまだインプラント１の起立が不安定な状態であっても簡易にインプラント１を起立状態に支持することができる。
【００２１】
このとき、ねじ部２の先端部側を構成するテーパねじ部２Ａは、先端部側の径が開口孔５よりも小径である共に、連続して径が大径化しているので、テーパねじ部２Ａは確実に開口孔５に案内されながら開口孔５の軸に沿って当該開口孔５内にねじ込まれる。つまり、インプラント１のねじ部２を確実に目的の挿入方向にねじ込める。続いて、開口孔５よりも大径の平行ねじ部２Ｂが食い込むようにして開口孔５にねじ込まれることで、必要な結合強度を持ってねじ部２が骨６に埋入した状態となる。
【００２２】
すなわち、開口孔５よりも大径のねじ部２が、当該開口孔５に食い込むようにねじ込まれることで、養生期間を有しなくても、インプラント１のねじ部２が骨６に固定された状態となる。
また、上記インプラント１の埋入作業と前後して、歯列矯正用のブラケットを歯列に沿って装着し、そのブラケットと、上記インプラント１の露出部３に予め取り付けられているアバットメント４のフック部４Ｂとを、結束線等の矯正具で連結し、歯の変位のための牽引用の固定源として上記インプラント１を使用する。
【００２３】
なお、歯列矯正が完了したら、上記インプラント１は取り外される。
以上のように、本実施形態の歯列矯正用のインプラント１を使用すると、開口孔５に沿って確実にねじ込むことができると共に当該開口孔５に食い込むことで最初からねじ部２と骨６との間の接触率（密着率）が大きくなる結果、長期間の養生を実施することなく、固定源として必要な骨６との結合が確保されるので、早期に歯列矯正を開始することができる。
【００２４】
このことはまた、従来における養生後に露出部３を露出させるための再度の手術が不要となる。すなわち、インプラント１を固定源として利用するための手術が１回で済む。
また、インプラント１を骨６に埋入させる前にアバットメント４を取り付けても支障がないので、インプラント１の露出部３に対するアバットメント４の取付け作業が容易である。もっとも、アバットメント４の取付けを、従来と同様に、インプラント１を骨６に埋入させてから口腔内で取り付けるようにしても良い。
【００２５】
また、少なくともねじ部２における平行ねじ部２Ｂ、つまり骨６との結合に一番大きく寄与する部分は、従来と異なり、開口孔５よりも大径となっているので、つまり従来よりも径が太いことから、インプラント１自体の強度も向上させることにも繋がる。
ここで、インプラント１が埋入される骨６の部分は、個人差があるものの、およそ表面から２ｍｍ程度が硬い緻密骨であり、その緻密骨よりも内層側はスポンジ状の骨で相対的に軟らかい。したがって、主として緻密骨部分でねじ部２が固定されれば良いことから、本実施形態のインプラント１では、平行ねじ部２Ｂの長さを２ｍｍに設定している。したがって、平行ねじ部２Ｂの長さは２ｍｍ以上であれば、固定源という点では、同等以上の強度を確保することができる。もっとも、平行ねじ部２Ｂが１ｍｍ、さらには０ｍｍ（ねじ部２の全体をテーパねじ部２Ａとした場合）であっても、ねじ部２のうち、開口孔５よりも大径の部分の長さが２ｍｍ以上あれば、固定源として必要な結合強度を当初から稼ぐことができる。
【００２６】
また、固定源という点からは、ねじ部２の長さはいくら長くても構わないが、余り長いと、不必要に他の組織と干渉するおそれがある。この観点及び埋設する骨６が顎骨ということを考慮すると、骨の肉厚が薄くて硬い部分の骨に対して埋め込む場合を想定した場合には、ねじ部２の長さは、３ｍｍ〜５ｍｍ、好ましくは本実施形態のように４ｍｍが好ましい。
【００２７】
また、ねじ部２の雄ねじの谷の径と開口孔５径との径差Δφ（本実施形態では、０．２ｍｍ）は、余り大きくとると、ねじ部２がねじ込み難くなると共にねじ込み時に骨６への不必要な損傷に繋がるおそれがあるので、上記径差Δφは、骨６の有する弾性域内に収まるように設定する。なお、発明者が確認したところでは、径差Δφが０．２ｍｍ〜０．５ｍｍあれば、インプラント１が骨６と十分に結合し、且つ骨６に不必要な損傷を与えないことを確認している。
【００２８】
ここで、上記テーパねじ部２Ａの軸方向に沿った外形輪郭は、直線状に限定されず、若干曲線を描くような輪郭であっても良い。
また、骨密度が極端に低い場合には、ねじ部２とインプラント１との結合のための養生が必要となる場合も想定されるが、この場合であっても、養生期間は、従来に比べて短くすることができる。また、このときには、後述の第２実施形態のようにねじ部が長いインプラントを使用しても良い。
【００２９】
次に、本発明に係る第２実施形態について図面を参照しつつ説明する。なお、上記第１実施形態と同様な部分などについては同一の符号を付して説明する。
上記第１実施形態のインプラントは、主として、歯から若干離れた位置の骨部分など、肉厚が比較的薄く且つ硬さが比較的硬い部分に埋め込むためのものである。これに対し、本第２実施形態のインプラントは、主として、歯の近傍に位置する歯と歯の間に位置する骨部分など、肉厚が比較的に厚く且つ硬さが比較的に小さい部分に埋め込むためのものである。
【００３０】
まず、構成について説明すると、図３に示すように、骨６に埋入されるねじ部２と該ねじ部２の根元に連続する露出部３（頭部）とから構成される。上記ねじ部２は、軸方向に沿って、先端部から根元部までテーパねじ部２Ａとなっている。なお、根元部側に第１実施形態と同様に平行ねじ部を構成しても良いが、本実施形態では、直接ねじ込む場合も想定して、根元部までテーパを付けてテーパの傾斜を小さく抑えている。
【００３１】
上記テーパねじ部２Ａの径は、先端部側が小径となっていて、先端部側の雄ねじの谷の径ｄ１が、従来、骨６に穿孔する開口孔５の径と等しい１．０ｍｍとなっていると共に、根元部での雄ねじの谷の径ｄ２が、１．３ｍｍとなっている。なお、ねじ部２の雄ねじの山の径は、上記各雄ねじの谷の径よりも０．２ｍｍだけ大きい値に設定されている。例えば、根元部の雄ねじの山の径ｄ３は、１．５ｍｍである。
【００３２】
また、上記頭部に設けられた露出部３には、アバットメント４を取り付けるための小径部３Ｂが形成され、該小径部３Ｂにアバットメント４が着脱可能に取付け可能となっている。なお、頭部３の形状は、アバットメント４が取り付けられればどのような形状であっても良い。
本実施形態で開示されるアバットメント４は、図４及び図５に示すように、上記インプラント１の小径部３Ｂに引っ掛ける環状フック部４Ｃと、その環状フック部４Ｃに連続して側方に張り出す張出部４Ｄと、その張出部４Ｄの他端部に設けられて結束線などを引っ掛けるフック部４Ｂとを備える。
【００３３】
上記環状フック部４Ｃの内周側の略中央部には切欠き４Ｃ１が形成されている。この切欠き４Ｃ１は、当該環状フック部４Ｃを上記小径部３Ｂに引っ掛けて、かしめることで取り付ける際に、切欠き４Ｃ１の近傍で環状フック部４Ｃを変形するようにするものであり、また、かしめた環状フック部４Ｃから上記小径部３Ｂから引っ張り出す際に引っ掛けて、環状フック４Ｃ側を引っ張る部分となるものである。
【００３４】
次に、上記インプラント１の取付け、及び取付け後の使用などについて説明する。
まず、口腔内に面した骨６に対してインプラント１のアンカー位置を決定し、、その部分に対し局所麻酔をした後、円筒形のメスで骨６の上にある肉部を開窓して骨６の表面を露出させたら、小径ドリルで直径１ｍｍの開口孔５を４ｍｍ程度の深さまで穿孔する。
【００３５】
続いて、手回しのドライバの先端部をトルク導入部３Ｃに対し同軸に取り付け、上記インプラント１のねじ部２を上記開口孔５内に同軸にねじ込んで骨６に埋入する。このねじ込みの際に、予め取り付けられている上記アバットメント４を把持してインプラント１を支持するようにしても良い。アバットメント４のフック部４Ｂは、インプラント１の軸から側方にオフセットした位置にあるのでドライバの邪魔にならないことから、ドライバによるねじ込み始めでまだインプラント１の起立が不安定な状態であっても簡易にインプラント１を起立状態に支持することができる。また、インプラント１を取り付けてからアバットメントを取り付けても良い。
【００３６】
このとき、ねじ部２の先端部にねじ込むためのドリル刃２ｄを持っているので、上記下穴の深さが浅くてもまた当該下穴の径が小さくても、ねじ部２の先端部２Ｃは確実に骨６にねじ込まれていき、さらに、先端部２Ｃに続くねじ部２にテーパを形成することで、つまりねじ込まれる部分が徐徐に大径化することで骨６への影響をできるだけ抑えつつ目的の方向に向けてねじ込まれるようにしている。つまり、骨の割れなどを防止しつつインプラント１のねじ部２を確実に目的の挿入方向にねじ込める。この結果、必要な結合強度を持ってねじ部２が骨６に埋入した状態となる。すなわち、養生期間を有しなくても、インプラント１のねじ部２が骨６に固定された状態となる。
【００３７】
また、上記インプラント１の埋入作業と前後して、歯列矯正用のブラケットを歯列に沿って装着し、そのブラケットと、上記インプラント１の露出部３に予め取り付けられているアバットメント４のフック部４Ｂとを、結束線等の矯正具で連結し、歯の変位のための牽引用の固定源として上記インプラント１を使用する。なお、歯列矯正が完了したら、上記インプラント１は取り外される。
【００３８】
その他の構成及び作用・効果は、第１実施形態と同様である。
ここで、固定源という点からは、ねじ部２の長さはいくら長くても構わないが、余り長いと、不必要に他の組織と干渉するおそれがある。この観点及び埋設する骨６が顎骨ということを考慮すると、骨の肉厚が厚くて且つ比較的に軟らかい部分の骨に対して埋め込む場合を想定した場合には、ねじ部２の長さは、４ｍｍ〜１０ｍｍがあると、確実に固定できる。
【００３９】
また、ねじ部２の雄ねじの谷の径と開口孔５径との径差Δφ（本実施形態では、０．２ｍｍ）は、余り大きくとると、ねじ部２がねじ込み難くなると共にねじ込み時に骨６への不必要な損傷に繋がるおそれがあるので、上記径差Δφは、骨６の有する弾性域内に収まるように設定する。なお、発明者が確認したところでは、径差Δφが０．２ｍｍ〜０．５ｍｍあれば、インプラント１が骨６と十分に結合し、且つ骨６に不必要な損傷を与えないことを確認している。
【００４０】
ここで、上記テーパねじ部２Ａの軸方向に沿った外形輪郭は、直線状に限定されず、若干曲線を描くような輪郭であっても良い。
また、骨密度が極端に低い場合には、ねじ部２とインプラント１との結合のための養生が必要となる場合も想定されるが、この場合であっても、養生期間は、従来に比べて短くすることができる。
【００４１】
また、上記実施形態では、下穴を開口するように説明しているが、これに限定されない。ねじ部２の先端部にドリル刃２ｄを形成しているので、下穴を設けずに直接ねじ込んで取り付けても良い。また、直接ねじ込み可能なので、ねじ部の径をもっと小径としても良い。なお、径が小さく且つ浅くても下穴を開けた方が目的の方向に埋め込みやすくなる。
【００４２】
【発明の効果】
以上説明してきたように、本発明のインプラントを使用すると、骨への埋入完了直後から歯列矯正のための固定源として使用することが可能になるという効果がある。
【図面の簡単な説明】
【図１】本発明に基づく第１実施形態に係るインプラントを示す側面図である。
【図２】本発明に基づく第１実施形態に係るアバットメントを示す図である。
【図３】本発明に基づく第２実施形態に係るインプラントを示す側面図である。
【図４】本発明に基づく第２実施形態に係るアバットメントを示す斜視図である。
【図５】本発明に基づく第２実施形態に係るアバットメントを示す側面図である。
【図６】従来のインプラントを示す側面図である。
【符号の説明】
１　インプラント
２　ねじ部
２Ａ　テーパねじ部
２Ｂ　平行ねじ部
３　露出部（頭部）
３Ａ　肉貫通部
３Ｂ　小径部
３Ｃ　トルク導入部
４　　アバットメント
４Ａ　円環部
４Ｂ　フック部
５　　開口孔
６　　骨
【図１】
2004097787.tif 000003
【図２】
2004097787.tif 000004
【図３】
2004097787.tif 000005
【図４】
2004097787.tif 000006
【図５】
2004097787.tif 000007
【図６】
2004097787.tif 000008